(57)【要約】    【課題】感知器接続データテーブルに火災感知器の設置場所等を把握可能な情報を追加して表示可能とし、火災感知器の追加を一種の障害と判定して火災感知器の属性データを取得してテーブルを簡単に更新する。    【解決手段】受信機１０に、感知器回線単位の割当アドレス、種別、任意番号を含む属性データを火災感知器毎に登録した感知器接続データテーブル１２０を記憶し、火災監視部９４は、火災発報時に、発報した火災感知器の割当アドレスに対応する任意番号を感知器接続データテーブル１２０から読出して画面表示する。中継器は、未割当アドレスからの上り信号受信からアドレス異常を判別して受信機１０に通知する。受信機１０は、感知器追加障害の判定時に、中継器に種別の取得を要求し、中継器によって取得された追加感知器の種別を感知器接続データテーブル１２０に書き込んで更新する。    【選択図】        図２
2007265353.tif 000002
【特許請求の範囲】
【請求項１】
受信機から引出された伝送路に中継器を接続すると共に、前記中継器から引出された感知器回線に複数の火災感知器を接続し、前記中継器から電圧を変化させることでコマンドと応答用パルスを含む下り信号を送信し、前記火災感知器から前記応答用パルスの空きタイミングで電流を変化させることで上り信号を送信する火災報知設備に於いて、
前記受信機に、
感知器回線単位の割当アドレス、種別、任意番号を含む属性データを前記火災感知器毎に登録した感知器接続データテーブルを記憶するテーブル記憶部と、
火災発報時に、発報した火災感知器の割当アドレスに対応する前記任意番号を前記感知器接続データテーブルから読出して画面表示する火災監視部と、
を設けたことを特徴とする火災報知設備。
【請求項２】
請求項１記載の火災報知設備に於いて、
前記受信機に、更に、
前記中継器から通知された感知器アドレスの異常に基づいて感知器追加障害を判定する障害判定部と、
前記感知器追加障害を判定した際に起動し、追加感知器のアドレスに対応した任意番号の入力を要求して取得する任意番号取得部と、
前記任意番号取得部で取得された任意番号を前記感知器接続データテーブルの追加障害と判定された火災感知器の属性データに書き込んで更新するデータ更新部と、
を設け、
前記中継器に、
前記受信機の感知器接続テーブルから得られた感知器毎の割当アドレスを格納したアドレステーブルを記憶するアドレス記憶部と、
正常監視コマンドの送信に伴って前記火災感知器から正常監視応答の上り信号を受信した際に、前記アドレステーブルの参照により未割当アドレスからの上り信号受信を判別してアドレス異常を前記受信機に通知するアドレス異常判定部と、
を設けたことを特徴とする火災報知設備。
【請求項３】
請求項２記載の火災報知設備に於いて、
前記受信機に、更に、感知器追加障害の判定時に、前記中継器に前記種別の要求コマンドを送信し、前記中継器から完了応答が受信された際に前記種別の転送を要求して感知器種別を取得する種別取得部を設け、
前記データ更新部は、前記種別取得部で取得された種別を前記感知器接続データテーブルの追加障害と判定された感知器の接続データに書き込んで更新し、
前記中継器に、更に、
前記受信機からの種別の要求コマンドを受信した際に、前記感知器回線に種別検索コマンドを送信して前記各火災感知器の応答上り信号から種別を取得して保持し、前記受信機から前記種別の転送要求を受信した際に、保持している種別を受信機に転送する種別検索部と、
を設けたことを特徴とする火災報知設備。
【請求項４】
請求項１記載の火災報知設備に於いて、前記受信機の発報表示部は、火災発報時に、発報した火災感知器の任意番号に隣接して同一感知器回線の火災感知器の発報数を画面表示することを特徴とする火災報知設備。
【請求項５】
請求項４記載の火災報知設備に於いて、前記受信機の発報表示部は、前記火災感知器の発報数に隣接してシフトスイッチを配置し、前記シフトスイッチを操作する毎に、現在発報中の火災感知器の任意番号を切替表示することを特徴とする火災報知設備。
【請求項６】
請求項１記載の火災報知設備に於いて、前記受信機のテーブル記憶部は、前記感知器接続データテーブルに前記中継器の設置場所と種別を示す地区メッセージを登録し、
前記受信機の発報表示部は、火災発報時に、発報した火災感知器に対応した前記地区メッセージを前記感知器接続データテーブルから読出して前記任意番号と共に画面表示することを特徴とする火災報知設備。
【請求項７】
請求項６記載の火災報知設備に於いて、前記受信機の発報表示部は、前記地区メッセージの表示部位に対応してタッチスイッチを配置し、前記タッチスイッチの操作時に、前記地区メッセージを感知器割当アドレスを含む地区番号の表示に切り替えることを特徴とする火災報知設備。
【発明の詳細な説明】
【技術分野】
【０００１】
本発明は、受信機から引出された伝送路に中継器を接続し、中継器から引出された感知器回線に複数の火災感知器を接続し、中継器から電圧を変化させることでコマンドを含む下り信号を送信し、火災感知器から電流を変化させることで応答を含む上り信号を送信する火災報知設備に関する。
【背景技術】
【０００２】
従来、Ｐ型アドレッサブル火災感知器を中継器からの感知器回線に接続した火災報知設備にあっては、パルスカウント伝送方式により火災感知器に対するコマンド送信と感知器応答を処理している。
【０００３】
パルスカウント伝送方式にあっては、中継器が受信機からの伝送同期コマンドに基づいて中継器から火災感知器にコマンドと応答用パルスを含む下り信号を電圧変化で送信し、火災感知器から中継器にコマンド応答の上り信号を、応答用パルスの空きタイミングの電流変化で送信して火災を監視するようにしている。
【０００４】
火災感知器のアドレスは、応答用パルスのパルス数で決まる最大アドレスまで設定することができ、応答用パルスをカウントして自己アドレスに一致するタイミングで、その時のコマンドに対応した応答信号を中継器に上り信号として送信する。中継器は応答用パルスを計数しており、火災感知器からコマンド応答の上り信号を受信した時のカウンタ値から感知器アドレスを認識している。
【０００５】
このよう火災報知設備にあっては、受信機で火災監視制御を行うため、火災感知器のデータが必要であり、割当アドレス、煙か熱かの種別、ブロック番号、連絡先、連動先、メッセージなどの感知器接続データを製造段階で火災感知器毎に準備し、ＥＥＰＲＯＭ等の不揮発メモリに格納して受信機にセットし、受信機の電源投入に伴う立上げ時に、不揮発メモリからＲＡＭ等の揮発メモリに読出して展開し、火災監視に必要な感知器接続データを得るようにしている。
【０００６】
また従来の火災受信機にあっては、中継器からの感知器回線に接続した火災感知器で出力異常などの感知器異常が発生した際に、受信機の操作表示部に異常発生の文字情報の近傍に中継器のアドレス番号を表示すると共に、火災感知器のアドレス番号を枝番として表示し、異常発生場所を特定できるようにしたものが知られている。
【特許文献１】特開２００５−００４３５２号公報
【特許文献２】特開２００４−２８０５７５号公報
【発明の開示】
【発明が解決しようとする課題】
【０００７】
しかしながら、このような従来の火災報知設備の受信機にあっては、火災感知器の作動表示や障害表示をする際に、中継器アドレスに感知器アドレスを枝番で表示するようにしているが、このようなアドレスは、異常となった火災感知器を識別するＩＤとしては有効であるが、アドレスそのものが作動又は障害となった火災感知器の設置場所等の現場の状況を示すものではなく、別途準備されたアドレスと感知器設置場所の地図またはリストなどを人為的に参照して確認する作業が必要であり、作動又は障害となった火災感知器の設置場所の特定に手間と時間がかかる問題がある。
【０００８】
またこの種の火災報知設備にあっては、火災報知設備を設置した後の運用中に、設置している建物や施設のテナントが変わってフロアの間仕切り変更などが行われる場合があり、これに伴って新たに火災感知器を追加する場合がある。
【０００９】
しかしながら、火災感知器の追加に対しては、受信機に登録している感知器接続データを変更する必要があり、受信機にセットしているＥＥＰＲＯＭを外して工場などに持ち帰り、書替用のアプリケーションを使用して感知器接続データを変更しているが、手間と時間がかかる問題がある。
【００１０】
この問題を解消するため、受信機自体で感知器接続データを変更できるようにしたものもあるが（特許文献１）、感知器接続データの変更はＥＥＰＲＯＭ等の不揮発メモリに格納している接続データの書替えを必要とするため、受信機を通常の監視モードから保守点検のためのメンテナンスモードに変更して行う必要があり、このため変更作業は夜間などの時間帯の作業となり、作業負担が大きいという問題がある。
【００１１】
また接続データを書替え可能とするため、ＥＥＰＲＯＭの不揮発メモリの書替え機能や接続データ変更のアプリケーションを受信機ＭＰＵに持たせなければならず、受信機の機能構成が複雑化し、コストアップになる問題がある。
【００１２】
本発明は、感知器接続データテーブルに登録する属性データに火災感知器の設置場所等を把握可能な情報を追加して表示可能とすると共に、火災感知器の追加を一種の障害と判定して火災感知器の属性データを取得して感知器接続データテーブルを簡単に更新できる火災報知設備を提供することを目的とする。
【課題を解決するための手段】
【００１３】
本発明は、受信機から引出された伝送路に中継器を接続すると共に、中継器から引出された感知器回線に複数の火災感知器を接続し、中継器から電圧を変化させることでコマンドと応答用パルスを含む下り信号を送信し、火災感知器から応答用パルスの空きタイミングで電流を変化させることで上り信号を送信する火災報知設備に於いて、受信機に、
感知器回線単位の割当アドレス、種別、任意番号を含む属性データを火災感知器毎に登録した感知器接続データテーブルを記憶するテーブル記憶部と、
火災発報時に、発報した火災感知器の割当アドレスに対応する前記任意番号を感知器接続データテーブルから読出して画面表示する火災監視部と、
を設けたことを特徴とする。
【００１４】
本発明の火災報知設備は、
受信機に、更に、
中継器から通知された感知器アドレスの異常に基づいて感知器追加障害を判定する障害判定部と、
感知器追加障害を判定した際に起動し、追加感知器のアドレスに対応した任意番号の入力を要求して取得する任意番号取得部と、
任意番号取得部で取得された任意番号を感知器接続データテーブルの追加障害と判定された火災感知器の属性データに書き込んで更新するデータ更新部と、
を設け、
中継器に、
受信機の感知器接続テーブルから得られた感知器毎の割当アドレスを格納したアドレステーブルを記憶するアドレス記憶部と、
正常監視コマンドの送信に伴って火災感知器から正常監視応答の上り信号を受信した際に、アドレステーブルの参照により未割当アドレスからの上り信号受信を判別してアドレス異常を受信機に通知するアドレス異常判定部と、
を設けたことを特徴とする。
【００１５】
本発明の火災報知設備は、受信機に、更に、感知器追加障害の判定時に、中継器に種別の要求コマンドを送信し、中継器から完了応答が受信された際に種別の転送を要求して感知器種別を取得する種別取得部を設け、データ更新部は、種別取得部で取得された種別を感知器接続データテーブルの追加障害と判定された感知器の接続データに書き込んで更新し、
中継器に、更に、受信機からの種別の要求コマンドを受信した際に、感知器回線に種別検索コマンドを送信して各火災感知器の応答上り信号から種別を取得して保持し、受信機から種別の転送要求を受信した際に、保持している種別を受信機に転送する種別検索部とを設ける。
【００１６】
受信機の発報表示部は、火災発報時に、発報した火災感知器の任意番号に隣接して同一感知器回線の火災感知器の発報数を画面表示する。発報表示部は、火災感知器の発報数に隣接してシフトスイッチを配置し、シフトスイッチを操作する毎に、現在発報中の火災感知器の任意番号を切替表示する。
【００１７】
受信機のテーブル記憶部は、感知器接続データテーブルに中継器の種別と設置地区を示す地区メッセージに登録し、
前記発報表示部は、火災発報時に、発報した火災感知器に対応した前記地区メッセージを前記感知器接続テーブルから読出して前記任意番号と共に画面表示する。
【００１８】
表示部は、地区メッセージの表示部位に対応してタッチスイッチを配置し、タッチスイッチの操作時に、地区メッセージを感知器割当アドレスを含む地区番号の表示に切り替える。
追加感知器の割当アドレス、種別及び任意番号を書き込んで更新する。
【発明の効果】
【００１９】
本発明によれば、感知器接続データテーブルに登録する火災感知器の属性データとして新たに任意番号の登録領域を設け、受信機の画面操作などにより火災感知器の設置場所を示す部屋番号などの任意番号を登録することで、火災発報表示の際に、中継器アドレスや感知器アドレスに対応して部屋番号等を示す任意番号が表示され、任意番号から発報した火災感知器の設置場所などの現場状況を迅速に認識して適切な火災対処措置をとることができる。
【００２０】
また間仕切り変更などで、火災感知器を追加した場合、追加した火災感知器による未割当アドレスによる応答から中継器でアドレス異常を認識して受信機に通知し、受信機で感知器追加障害を認識することで、追加した火災感知器のデータを感知器接続テーブルに自動登録するテーブル更新が自動的に行われ、火災感知器を追加した際の感知器接続データテーブルの変更に必要な手間と時間を低減し、変更に伴う費用を低減できる。
【００２１】
この場合にも、感知器追加障害に対応して追加した火災感知器についての任意番号の入力要求が行われ、この入力要求に対し部屋番号などを入力することで、追加した火災感知器の属性データに任意番号を簡単且つ容易に含めて感知器接続データテーブルを更新できる。
【００２２】
また任意番号に近接して同一感知器回線の感知器発報数が表示され、更に、その近傍のシフトスイッチの操作で発報感知器の任意番号を切替表示でき、現場における火災の広がり具合などの状況を容易に把握できる。
【００２３】
また必要があれば、中継器の地区メッセージの表示部位のタッチスイッチ操作で、中継器アドレスを含む地区番号に感知器アドレスを付加した表示に切り替えることができ、アドレスによる発報した火災感知器を特定することも簡単にできる。
【発明を実施するための最良の形態】
【００２４】
図１は本実施形態による火災報知設備の構成を示したブロック図である。図１において、受信機１０から引き出された伝送線１８及び中継器制御線１９に対し複数の中継器１２が接続されており、中継器１２からは感知器回線２０が引き出され、それぞれ複数の火災感知器１４−１〜１４−ｎを接続している。なお、図１は説明を簡単にするため、中継器１２から感知器回線２０を１回線引き出した場合を示しているが、本実施形態にあっては、例えば4回線が引き出されている場合を例にとる。
【００２５】
図２は図１における受信機１０の実施形態を示したブロック図である。図２において、受信機１０には受信機ＣＰＵ１００が設けられ、受信機ＣＰＵ１００に対しては伝送回路１０２、電源部１０４、タッチパネル付の液晶ディスプレイを用いた表示部１０６、操作部１０８、音響警報部１１０、移報部１１２、不揮発メモリとしてのＥＥＰＲＯＭ１１４及び揮発メモリとしてのＲＡＭ１１６を設けている。
【００２６】
更に受信機ＣＰＵ１００には、プログラム制御により実現される機能として、火災監視部９４、障害判定部９５、任意番号取得部９６、種別取得部９７、データ更新部９８を設けている。火災監視部９４は、伝送回路１０２に対する指示で伝送線１８により図１の中継器１２に対し一定時間間隔例えば９秒間隔で伝送同期コマンドを送っており、この伝送同期コマンドの間に所定回数、ポーリングコマンドを送っている。
【００２７】
火災監視部９４が中継器からの火災割込信号を受信すると、表示部１０６を使用して火災警報表示を行い、音響警報部１１０から音響警報を出すと共に、必要に応じて移報部１１２から移報信号を出力し、連動機器としての防排煙扉や警報ベルなどを連動制御するようにしている。操作部１０８としては、表示部１０６に使用している液晶ディスプレイのタッチパネル付操作画面を備え、それ以外の適宜の火災監視に必要なスイッチが設けられている。
【００２８】
また火災監視部９４は、中継器を介して感知器回線に接続している火災感知器の感知器接続データ（属性データ）を管理している。本実施形態にあっては、不揮発メモリであるＥＥＰＲＯＭ１１４に火災感知器のデェフォルト接続データテーブル１１８を格納しており、受信機１０の電源投入により設備を立ち上げた際に、ＥＥＰＲＯＭ１１４のデェフォルト接続データテーブル１１８が受信機ＣＰＵ１００により読み出され、ＲＡＭ１１６に感知器接続データテーブル１２０として展開され、火災監視部９４による火災監視に必要なデータとして使用される。
【００２９】
図３は図２の受信機１０のＲＡＭ１１６に展開された感知器接続データテーブル１２０の説明図である。図３において、感知器接続データテーブル１２０は、中継器アドレス、中継器種別、回線番号、ブロック番号、地区メッセージ、連動元データ、感知器アドレス、アドレス有効フラグ及び種別で構成され、更に本実施形態にあっては、新たに任意番号を追加している。
【００３０】
本実施形態において、中継器からは感知器回線が４回線引き出されていることから、図３にあっては、そのうちの２回線を示しており、また各回線には３２台分の火災感知器に分けて感知器アドレス１〜３２が格納される。
【００３１】
アドレス有効フラグは、ビット１でアドレス割当を示し、ビット０でアドレス未割当を示している。即ちアドレス有効フラグがビット０のアドレスは、感知器回線に対応する火災感知器が接続されていない空状態にあることを示している。
【００３２】
次の種別は、本実施形態にあっては熱または煙のいずれかである。更に本実施形態で新たに設けている任意番号には、火災感知器の設置場所を示す情報として、例えば部屋番号などの数字やテナント名などのメッセージ情報が登録される。
【００３３】
ここで、図２のデェフォルト接続データテーブル１１８は設置段階で予め作成されており、種別及び任意番号については受信機１０のＲＡＭ１１６に図３のように感知器接続データテーブル１２０として展開された状態で追加的に登録される。なお、デェフォルト接続データテーブル１１８は現場登録により作成される場合もある。
【００３４】
このうち種別については、後の説明で明らかにするように、受信機１０からの中継器に対する種別要求で自動的に取得されて登録される。任意番号については、受信機１０のタッチパネル付の表示を使用して受信機１０の現場設置状態で部屋番号やテナント名などの適宜の任意番号を入力操作により設定登録することができる。
【００３５】
再び図２を参照するに、受信機ＣＰＵ１０の障害判定部９５は、中継器から通知された感知器アドレスの異常に基づいて感知器追加障害を判定する。任意番号取得部９６は感知器追加障害を判定した際に起動し、追加感知器のアドレスに対応した任意番号の入力を要求して取得する。
【００３６】
種別取得部９７は感知器追加障害を判定した際に中継器に種別の要求コマンドを送信し、中継器から完了応答が受信された際に種別の転送を要求して感知器種別を取得する。データ更新部９８は、任意番号取得部９６で取得した任意番号、及び種別取得部９７で取得した種別を、ＲＡＭ１１６の感知器接続データテーブル１２０の追加障害と判定された感知器データの部分に書き込んで更新する。この任意番号及び種別の更新は、ＥＥＰＲＯＭ１１４のデェフォルト感知器接続データテーブル１１８に対しても同時に行われる。
【００３７】
図４は本実施形態における受信機１０の火災発報画面の説明図である。図４の火災発報画面はタッチパネル付の液晶ディスプレイによる表示画面であり、画面上部に火災メッセージ１２２として「火災です」と火災マーク１２４を表示する。その下に詳細表示部１２５が設けられ、詳細表示部１２５の左側に地区メッセージ１２６を表示する。
【００３８】
地区メッセージ１２６は図２の感知器接続データテーブル１２０から得られたもので、本実施形態にあっては
（１）棟数、階、地区の表示
（２）地区表示（ＰＡ感知器用中継器０１００２１）の表示
を行っている。
【００３９】
詳細表示部１２５の右側には、任意番号１２８が〔１２０１〕として表示される。この例にあっては、任意番号１２８は１２階の０１号室を数字で表している。任意番号１２８の右側には、近接して発報数１３０が表示されている。発報数１３０は、この例では「１／５」であり、これは同一感知器回線に接続している火災感知器のうちの５台が発報し、第１報目につき任意番号１２８に「１２０１」の表示が行われていることを示している。
【００４０】
発報数１３０の上部にはシフトスイッチ１３２が設けられており、シフトスイッチ１３２を指先で操作すると発報数１３０の表示が現在の「１／５」からシフト操作ごとに「２／５」「３／５」、「４／５」、「５／５」と順次切り替わり、更に押すと最初の「１／５」に戻る。このシフトスイッチ１３２に伴う発報数１３０の変化に伴い、任意番号１２８における表示も、例えば現在の「１２０１」から例えば「１２０２」「１２０３」・・・というように連動して切り替わる。
【００４１】
更に本実施形態にあっては、地区メッセージ１２６の部分がタッチスイッチとなっており、この地区メッセージ１２６の部分のタッチスイッチを操作すると図５の火災発報画面に切り替わる。
【００４２】
図５の火災発報画面は、詳細表示部１２５における地区メッセージ１２６の中の下側の部分がアドレス表示部１３４に切り替わる。アドレス表示部１３４の表示は、例えば「ＰＡ感知器用中継器０１−００２−１＃０１」であり、前半の「０１−００２−１」は中継器アドレスであり、その後に感知器アドレス「＃０１」が枝番として追加されている。
【００４３】
この図５の火災発報画面においても、詳細表示部１２５の右側のシフトスイッチ１３２を操作すると、任意番号１２８及び発報数１３０が図４の場合と同様に変化すると同時に、アドレス表示部１３４における感知器アドレス「＃０１」の部分がシフトスイッチ１３２の操作に連動して「＃０２」「＃０３」・・・と発報順に切り替わる。
【００４４】
図６は本実施形態における中継器の実施形態を示したブロック図である。図６において、中継器１２は、伝送回路２２、中継器ＣＰＵ２４、電源部２５、電流検出回路２６、送信回路２７、応答信号検出回路２８及びＲＡＭ２９を備えている。中継器ＣＰＵ２４にはプログラム制御により実現される機能として、中継処理部３４、アドレス異常判定部３５及び種別検索部３６を設けている。
【００４５】
またＲＡＭ２９にはアドレステーブル３０が格納されている。アドレステーブル３０は、図２の受信機１０に格納している感知器接続データテーブル１２０の中から、中継器１２から引き出された感知器回線２０に接続している火災感知器のアドレス部分を抽出してコピーしたテーブルである。
【００４６】
図７は図３の受信機側の感知器アドレス接続テーブル１２０からコピー処理により作成したアドレステーブル３０であり、中継器１２から引き出されている４回線のうちの２回線を示しており、回線番号、感知器アドレス及びアドレス有効フラグが登録されている。このアドレステーブル３０についても、アドレス有効フラグがビット１となっている感知器アドレスが割当アドレスであり、アドレス有効フラグがビット０となっている感知器アドレスは未割当で空き状態となっている。
【００４７】
図６の中継器ＣＰＵ２４の中継処理部３４は、受信機１０から伝送同期コマンドを受信するごとに断線監視コマンドと正常監視コマンドを、送信回路２７を介して感知器回線２０に送出する。断線監視コマンドの下り信号に対しては、終端設定された火災感知器１４−ｎがコマンド応答の上り信号を送信する。また正常監視コマンドの下り信号に対しては、全ての火災感知器１４−１〜１４−ｎがコマンド応答の上り信号を送信する。
【００４８】
中継器１２から感知器回線に送信される下り信号は、感知器回線２０の電圧を変化させるいわゆる電圧モードの信号である。これに対し火災感知器１４−１〜１４−ｎから送信される上り信号は、感知器回線２０に流れる電流を変化させる、いわゆる電流モードの信号である。
【００４９】
中継処理部３４は、火災感知器１４−１〜１４−ｎのいずれかで火災を検出すると、感知器回線２０に火災割込信号が送信されることから、これを受信して感知器アドレス検索コマンドを送信し、発報した火災感知器の感知器アドレスを取得する。
【００５０】
火災感知器による発報時の火災割込信号の送信は例えば一定の時間間隔で３回連続して行われ、中継処理部３４にあっては火災割込信号の受信による感知器アドレス検索コマンドによる検索アドレスが２回一致したら火災発報を特定し、３回目の火災割込信号の受信で火災を確定し、受信機１０に対し火災割込信号により火災検出を通知し、火災警報を行わせる。
【００５１】
アドレス異常判定部３５は、正常監視コマンドの送信に伴って火災感知器１４−１〜１４−ｎから正常監視応答の上り信号を受信した際に、アドレステーブル３０を参照して応答のあったアドレスが割当アドレスか未割当アドレスかを判定し、未割当アドレスを判定した場合にアドレス異常を受信機１０に通知する。
【００５２】
種別検索部３６は、受信機１０からの種別要求コマンドを受信した際に、感知器回線２０に種別検索コマンドを送信して、各火災感知器の応答上り信号から種別を取得して保持し、受信機１０からの種別の転送要求を受信した際に、保持している種別を受信機１０に転送する。
【００５３】
本実施形態における種別検索につき、中継器１２の種別検索部３６は、実際には熱感知器と煙感知器のそれぞれにつき個別に種別検索コマンドを送信して取得するが、以下の説明にあっては、説明を簡単にするため、熱と煙に種別を分けることなく、単に種別検索コマンドを送信して種別を取得するものとして説明する。
【００５４】
図８は本実施形態における火災感知器１４の実施形態を示したブロック図である。図８において、火災感知器１４は、無極性ノイズ吸収回路３７、９ボルト出力の定電圧回路３８、３ボルト出力の定電圧回路４０、リセット監視回路４２、感知器ＣＰＵ４４、揮発メモリであるＥＥＰＲＯＭ４６、パルス駆動回路４８、サーミスタなどの温度検出素子５０、温度検出回路５２、伝送信号検出回路５４及び応答信号送出回路５６を備えている。
【００５５】
感知器ＣＰＵ４４に設けたＥＥＰＲＯＭ４６には、この火災感知器１４が熱感知器であることを示す種別データ４７が記憶され、更に感知器アドレスが記憶されており、感知器回線２０の電源投入に伴うリセット監視回路４２による感知器ＣＰＵのリセットスタートによる初期化処理で、ＥＥＰＲＯＭ４６より感知器アドレスを含む各種設定情報を内部のＲＡＭに展開し、感知器制御を行う。
【００５６】
感知器ＣＰＵ４４にはプログラム制御により実現される機能として感知器応答部６４が設けられている。感知器応答部６４は中継器１２からのコマンドと応答用パルスからなる下り信号を受信し、応答用パルスをカウントした値が自己アドレスに一致した際の応答用パルスの空きタイミングで、このとき受信しているコマンドに対応した応答信号を上り信号として送信する。
【００５７】
例えば中継器１２からの正常監視コマンドを含む下り信号は、伝送信号検出回路５４で検出されて感知器ＣＰＵ４４に入力され、コマンド内容を解読した後、火災感知器１４に異常がなければ、感知器応答部６４が応答用パルスのカウント値が自己アドレスに一致した直後の空きタイミングで応答信号を応答信号送出回路５６に出力し、感知器回線の電流変化によりコマンド応答の上り信号を送信する。火災感知器１４に異常がある場合には、コマンド応答の上り信号は送信されない。
【００５８】
ここで火災感知器１４のパルス駆動回路４８は、感知器ＣＰＵ４４からの一定時間間隔の駆動パルスを受けて温度検出素子５０であるサーミスタを駆動しており、検出タイミングごとに温度検出回路５２で温度を検出して感知器ＣＰＵ４４に読み込み、予め設定した火災温度を超えたことで火災発報を検出し、伝送信号検出回路５４を使用して火災割込信号を感知器回線２０に送信する。
【００５９】
本実施形態にあって、感知器ＣＰＵ４４は火災発報を検出すると、中継器１２からの正常監視コマンドの送信間隔内で連続して例えば３回、火災割込信号を送信する。正常監視コマンドが例えば９秒間隔で送信されているとすると、火災発報時に火災感知器１４は３秒間隔で連続して火災割込信号を送信する。
【００６０】
このような火災感知器１４からの火災割込信号につき、１回目と２回目については中継器１２は感知器番号の検索コマンドを発行して感知器番号を取得し、３回目の火災割込信号の受信で感知器番号の検索結果が２回一致したことを条件に火災を確定して、受信機１０に火災発生を通報する。
【００６１】
中継器１２で３回の火災割込信号について火災が確定されると、中継器１２は発報表示灯制御コマンドを送信し、これを受けて火災感知器１４は作動表示灯（図示せず）を点灯する。
【００６２】
中継器１２にあっては、第１報目の火災を確定すると、その後、一定周期で連続して感知器アドレス検索コマンドを発行しており、したがって２報目の火災感知器が発報すると、感知器アドレス検索コマンドに対し感知器アドレス応答信号を送信することで、中継器１２側において２報目、更に３報目といった同一感知器回線２０における火災発報を認識することができる。
【００６３】
なお図８の火災感知器１４にあっては、サーミスタなどの温度検出素子５０による熱感知器を例に取るものであったが、発光素子と受光素子を備えた散乱光式煙検出部を備えた火災感知器であってもよいことはもちろんである。
【００６４】
図９は本実施形態で受信機１０から送信する伝送同期コマンドとこれに同期して中継器から火災感知器に送信する断線監視コマンド及び正常監視コマンドの送信タイミングのタイムチャートである。
【００６５】
図９（Ａ）の伝送同期コマンド６６は、受信機１０から中継器１２に対し一定周期で送信され、伝送同期コマンド６６に基づき中継器１２は、図９（Ｂ）のように断線監視コマンド６８と正常監視コマンド７０を交互に送信する。
【００６６】
図１０は本実施形態の中継器１２と火災感知器１４の間のコマンド送信の下り信号とコマンド応答の上り信号のタイムチャートである。図１０（Ａ）はコマンド送信の下り信号であり、感知器回線の定常電圧を例えば１９ボルトとすると、１９ボルトから３１ボルトに変化させている。
【００６７】
電圧変化で行うコマンド送信用の下り信号は、スタートパルス７１、基準パルス７２、コマンド７４，７６及び応答用パルス７８で構成される。本実施形態において、感知器回線２０に接続可能な火災感知器の最大数は例えば３２台であり、このためコマンド７６に続いて３２個の応答用パルス７８を送信している。またコマンド７４，７６は同じコマンドであり、２連送することで信頼性を上げている。
【００６８】
ここで、アドレス２の火災感知器１４−２は感知器回線に接続されておらず、中継器１２のアドレステーブル３０は図７のように、回線番号１の感知器アドレス２のアドレス有効フラグはビット０であり、未割当アドレスであることを示している。
【００６９】
火災感知器１４−１，１４−３〜１４−３２にあっては、下り信号のコマンド７６に続く応答用パルス７８をカウントし、カウント値が予め設定した自己アドレスに一致すると、その直後の応答用パルス７８の空きタイミングで電流変化によるコマンド応答の上り信号を送信する。図１０（Ｂ）は感知器回線に接続している３７台の火災感知器が一括コマンドである正常監視コマンドを受信してコマンド応答の上り信号を送出した場合である。
【００７０】
コマンド応答の上り信号は、図１０（Ｃ）のアドレス１，３〜３２の火災感知器１４−１，１４−３〜１４−３２に示すように、応答用パルス７８をカウントして各アドレスに一致するタイミングで、それぞれの火災感知器がコマンド応答上り信号８２−１，８２−３〜８２−３２を送信しており、その合成信号が図１０（Ｂ）の上り信号として感知器回線に送信されることになる。
【００７１】
図１１（Ａ）は図１０に対応したアドレス設定を行っている火災感知器を設置した建物のフロア配置であり、１２０１号室〜１２０７号室に間仕切りされており、部屋ごとに火災感知器１４−１，１４−３〜１４−８を設置して感知器回線２０に接続している。また感知器アドレスは＃０１，＃０３〜＃０８であり、アドレス＃０２は未割当となっている。
【００７２】
図１１（Ｂ）は間仕切りを変更した場合であり、１２０１号室と１２０２号室の間の間仕切り１３６を移動し、これに伴い１２０２号室にアドレス＃０２をもつ火災感知器１４−２を追加接続している。
【００７３】
図１２は図１１（Ｂ）の火災感知器１４−２を追加した際の中継器と火災感知器の間の種別検索コマンドの下り信号とコマンド応答の上り信号のタイムチャートである。この場合、図１２（Ａ）のコマンド送信用の下り信号におけるコマンド７６に続く応答用パルス７８に対し、その直後の空きタイミングで図１０（Ｃ）のように、それぞれの火災感知器１４−１、追加した火災感知器１４−２、及び火災感知器１４−３〜１４−３２がコマンド応答上り信号８２−１〜８２−３２を送信しており、その合成信号が図１２（Ｂ）の上り信号として感知器回線に送信される。
【００７４】
火災感知器１４−１〜１４−３２からのコマンド応答上り信号８２−１〜８２−３２を受信した中継器１２にあっては、それまで得られていなかったアドレス２のタイミングでコマンド応答上り信号８２−２を受信するが、アドレス２は図７のアドレステーブル３０から未割当アドレスであり、それにも関わらす応答上り信号が受信されたことでアドレス異常と判定し、受信機１０にアドレス異常を通知することになる。
【００７５】
図１３〜図１６は、火災感知器の追加に伴う受信機の追加障害判定、種別情報検索、テーブル更新までの処理を示すタイムチャートである。
【００７６】
図１３において、受信機１０は、ステップＳ１で同期伝送コマンドを中継器１２に送信すると、同期伝送コマンドが奇数タイミングであったとすると、中継器１２はステップＳ１０１で断線監視コマンドを送信する。
【００７７】
ここで火災感知器１４−２は、この段階では感知器回線に接続されておらず、アドレス２は未割当となっている。断線監視コマンドは火災感知器１４−１，１４−３〜１４−３２で受信され、終端の火災感知器１４−３２のみが終端設定されていることから、ステップＳ４０１で火災感知器１４−３２が断線監視応答の上り信号を送信する。
【００７８】
この応答信号を中継器１２で受信すると、ステップＳ１０２で回線正常判定とする。もし断線監視の応答信号が得られなかった場合には、例えば連続して３回応答が得られなかった場合に、感知器回線の断線を確定して受信機１０に断線障害を通知する。
【００７９】
続いて受信機１０は、９秒後の次のステップＳ２で同期伝送コマンドを中継器１２に送信しており、この同期伝送コマンドは偶数タイミングであることから、中継器１２はステップＳ１０３で正常監視コマンドを感知器回線２０に送信する。
【００８０】
火災感知器１４−１，１４−３〜１４−３２は、感知器回線２０に正常に接続され且つ障害もない場合には、ステップＳ２０１，・・・Ｓ４０２に示すように、それぞれ下り信号の自己アドレスに対応した応答パルスの空きタイミングで正常監視応答の上り信号を応答送信する。中継器１２はステップＳ１０４で全ての火災感知器１４−１，１４−３〜１４−３２から上り信号を受信すると、接続感知器正常判定を行うことになる。
【００８１】
この段階で感知器回線に火災感知器１４−２がステップＳ３０１にように追加接続されたとする。
【００８２】
続いて図１４に進み、受信機１０はステップＳ３で同期伝送コマンドを中継器１２に送信すると、これを受けて中継器１２は、ステップＳ１０５で再び断線監視コマンドを送信し、断線監視コマンドは火災感知器１４−１〜１４−３２で受信されるが、終端の火災感知器１４−３８のみが終端設定されていることから、ステップＳ４０３で火災感知器１４−３８が断線監視応答の上り信号を送信し、中継器１２はステップ１０６で回線正常を判定する。
【００８３】
続いて受信機１０は、９秒後の次のステップＳ４で同期伝送コマンドを中継器１２に送信し、中継器１２はステップＳ１０７で再び正常監視コマンドを感知器回線２０に送信する。このため火災感知器１４−１，追加した火災感知器１４−２、火災感知器１４−３〜１４−３２は、感知器回線２０に正常に接続され且つ障害もない場合には、ステップＳ２０２，Ｓ３０２・・・Ｓ４０４に示すように、それぞれ下り信号の自己アドレスに対応した応答パルスの空きタイミングで正常監視応答の上り信号を応答送信する。
【００８４】
しかしながら、追加した火災感知器１４−２からの正常監視応答の上り信号は、未割当アドレスであり、本来、上り信号が受信されないアドレスであることから、中継器１２はステップＳ１０８で感知器アドレスに変化が生じたことを認識し、受信機１０にアドレス異常を変化のあったアドレス２と共に通知する。
【００８５】
アドレス異常の通知を受けた受信機１０は、ステップＳ５で感知器接続データテーブル１２０を参照し、アドレス２を割り当てた火災感知器が追加された感知器追加障害を判定し、図１５のステップＳ６で感知器追加処理を起動し、追加した火災感知器１４−２の種別検索と、任意番号の取得を行う。
【００８６】
追加した火災感知器１４−２の種別取得は次のようにして行う。受信機１０はステップＳ７で中継器１２に対し種別要求コマンドを送信する。これに対し中継器１２は、ステップＳ１０９でコマンド受信と応答を開始する。
【００８７】
続いて受信機１０は、ステップＳ８で伝送グループ設定コマンドを送信する。この伝送グループ設定コマンドにより、中継器１２にあっては、ステップＳ１１０で感知器への伝送出力タイミングを取得する。そしてコマンド受信応答を受信機に返す。
【００８８】
続いてステップＳ９で次の同期伝送コマンドの送信を受信機１０が行い、これは中継器１２においてステップＳ１１１の正常監視コマンドの送信となり、火災感知器１４−１〜１４−３２の全てが、ステップＳ２０３，Ｓ３０３，・・・Ｓ４０５のように正常監視応答送信を行い、ステップＳ１１２で接続感知器正常判定が行われる。
【００８９】
続いてステップＳ１０で受信機１０が同期伝送コマンドを送信すると、中継器１２は、ステップＳ１１３で種別要求コマンドを送信する。この種別要求コマンドに対し、火災感知器１４−１〜１４−３２が、ステップＳ２０４，Ｓ３０４，Ｓ４０６のように種別応答の上り信号を送信する。これを受けて中継器１２は、図１６のステップＳ１１４で、種別をメモリに保存する。
【００９０】
続いて受信機１０はステップＳ１１で同期伝送コマンドを送信し、これは中継器１２のステップＳ１１５で断線監視コマンドの送信となり、ステップＳ１１６で感知器正常判定を行う。続いて受信機１０は、同期伝送コマンド送信周期の間にポーリングコマンド送信をステップＳ１２で行い、ポーリングコマンド送信に対し中継器１２はステップＳ１１７で種別要求コマンドの完了通知を行う。
【００９１】
これを受けて受信機１０はステップＳ１３で２次側要求コマンドを送信し、中継器１２は、ステップＳ１１８でメモリに保存している感知器アドレスと種別を応答送信する。この中継器１２からの種別とアドレスの応答送信を受けて、受信機１０はステップＳ１４で図２のＲＡＭ１１６に展開している感知器接続データテーブル１２０の追加した火災感知器１４−２を含む同一感知器回線に接続している全ての火災感知器の種別を書き替えて更新する。
【００９２】
このようにして追加した火災感知器１４−２の種別取得による更新が済むと、受信機１０はステップＳ１５で追加した火災感知器１４−２の任意番号の入力処理を起動する。例えば受信機１０の表示部に任意番号の入力操作画面を表示し、追加した火災感知器１４−２のアドレス２に対応して任意番号の入力を要求する。この任意番号入力要求に対し図１１（Ｂ）の場合は、火災感知器１４−２を追加した部屋番号「１２０２」を任意番号として入力する。
【００９３】
続いて受信機１０はステップＳ１６でＥＥＰＲＯＭ１１８のデェフォルト感知器接続データテーブル１１８とＲＡＭ１１６の感知器接続データテーブル１２０の更新登録を図１７の矢印Ａのように行い、更に中継器１２にアドレス割当情報を転送、Ｓ１１９でアドレステーブル３０について、アドレス有効フラグをビット１の割当アドレスに変更する。
【００９４】
このように本実施形態にあっては、間仕切り変更などに伴う火災感知器の追加に対し、追加した火災感知器の種別が自動的に取得されて感知器接続データテーブルが更新され、更に、受信機において追加した火災感知器に対する任意番号の入力要求が自動的に行われ、火災報知設備の運用中であっても、保守モードへ切り替えることなく、火災感知器の通過に伴う属性データの取得登録を簡単且つ容易に実現できる。
【００９５】
なお本実施形態は、中継器からコマンド及び応答用パルスを下り信号として送信し、火災感知器側でコマンドを解読すると共に、応答用パルスをカウントして自己アドレスに一致した空きタイミングで上り信号を応答送信するパルスカウント伝送方式を例に取るものであったが、中継器と火災感知器の間でコマンド、アドレス、データによる電文による双方向伝送機能を備えたデータ伝送方式を採用する火災報知設備についても適用することができる。
【００９６】
また本発明は上記の実施形態に限定されず、その目的と利点を損なうことのない適宜の変形を含み、更に上記の実施形態に示した数値による限定は受けない。
【図面の簡単な説明】
【００９７】
【図１】本実施形態の火災報知設備の実施形態を示したブロック図
【図２】受信機の実施形態を示したブロック図
【図３】受信機の格納された感知器接続データテーブルの説明図
【図４】本実施形態における火災発報画面の説明図
【図５】地区メッセージのタッチスイッチ操作による切替画面の説明図
【図６】中継器の実施形態を示したブロック図
【図７】中継器に格納しているアドレステーブルの説明図
【図８】火災感知器の実施形態を示したブロック図
【図９】受信機の伝送同期コマンドによる中継器からの断線監視コマンドと正常監視コマンドの送信タイミングのタイムチャート
【図１０】中継器と火災感知器の間のコマンド送信の下り信号とコマンド応答の上り信号のタイムチャート
【図１１】建物の間仕切り変更に伴い火災感知器を追加する説明図
【図１２】火災感知器の追加に伴うアドレス異常時の中継器と火災感知器の間の下り信号と上り信号のタイムチャート
【図１３】火災感知器の追加に伴う受信機の追加障害判定、種別情報検索、テーブル更新までの処理を示すタイムチャート
【図１４】図１３に続く種別更新処理のタイムチャート
【図１５】図１４に続く種別更新処理のタイムチャート
【図１６】図１５に続く種別更新処理のタイムチャート
【図１７】感知器追加障害の判定に基づいて更新された受信機の感知器接続データテーブルの説明図
【符号の説明】
【００９８】
１０：受信機
１２，１２−１，１２−２：中継器
１４−１〜１４−ｎ：火災感知器
１８：伝送線
１９：中継器制御線
２０，２０−１，２０−２：感知器回線
２２，１０２：伝送回路
２４：中継器ＣＰＵ
２５，１０４：電源部
２６：電流検出回路
２７：送信回路
２８：応答信号検出回路
２９：ＲＡＭ
３０：アドレステーブル
３４：：中継処理部
３５：アドレス異常判定部
３６：種別検索部
３７：無極性ノイズ吸収回路
３８，４０：定電圧回路
４４，４６：定電圧回路
４２：リセット監視回路
４４：感知器ＣＰＵ
４６：ＥＥＰＲＯＭ
４７：種別データ
４８：パルス駆動回路
５０：温度検出素子
５２：温度検出回路
５４：伝送信号検出回路
５６：応答信号送出回路
６４：感知器応答部
６６：伝送同期コマンド
６８：断線監視コマンド
７０：正常監視コマンド
７１：スタートパルス
７２：基準パルス
７４，７６：コマンド
７８：応答用パルス
８２−１〜８２−３８：コマンド応答上り信号
９４：火災監視部
９５：障害判定部
９６：任意番号取得部
９７：種別取得部
９８：データ更新部
１００：受信機ＣＰＵ
１０６：表示部
１０８：操作部
１１０：音響警報部
１１２：移報部
１１４：ＥＥＰＲＯＭ
１１６：ＲＡＭ
１１８：デェフォルト接続データテーブル
１２０：感知器接続データテーブル
１２２：火災メッセージ
１２４：火災マーク
１２５：詳細表示部
１２６：地区メッセージ
１２８：任意番号
１３０：発報数
１３２：シフトスイッチ
１３４：アドレス表示部
【図１】
2007265353.tif 000003
【図２】
2007265353.tif 000004
【図３】
2007265353.tif 000005
【図４】
2007265353.tif 000006
【図５】
2007265353.tif 000007
【図６】
2007265353.tif 000008
【図７】
2007265353.tif 000009
【図８】
2007265353.tif 000010
【図９】
2007265353.tif 000011
【図１０】
2007265353.tif 000012
【図１１】
2007265353.tif 000013
【図１２】
2007265353.tif 000014
【図１３】
2007265353.tif 000015
【図１４】
2007265353.tif 000016
【図１５】
2007265353.tif 000017
【図１６】
2007265353.tif 000018
【図１７】
2007265353.tif 000019
【手続補正書】
【提出日】平成18年4月7日(2006.4.7)
【手続補正１】
【補正対象書類名】明細書
【補正対象項目名】００５４
【補正方法】変更
【補正の内容】
【００５４】
図８は本実施形態における火災感知器１４の実施形態を示したブロック図である。図８において、火災感知器１４は、無極性ノイズ吸収回路３７．９ボルト出力の定電圧回路３８．３ボルト出力の定電圧回路４０、リセット監視回路４２、感知器ＣＰＵ４４、揮発メモリであるＥＥＰＲＯＭ４６、パルス駆動回路４８、サーミスタなどの温度検出素子５０、温度検出回路５２、伝送信号検出回路５４及び応答信号送出回路５６を備えている。